(57)【要約】本発明は、自身を支持部材（１）に取り付けるための装置ベースを有し、前記装置ベース（２）の受け口（３）の中に少なくとも１つの回転アーム（４）が収容され、前記少なくとも１つの回転アーム（４）が前記装置ベース（２）から部分的に突出し、前記少なくとも１つの回転アーム（４）は、回転軸のまわりに、前記装置ベース（２）の接地側面部（５）に平行となるように、調節可能であり、前記回転アーム（４）の第１セット姿勢において、第１取り付け手段（６）が受け口（３）の外側に配置され、前記回転アーム（４）の第２セット姿勢において、前記第１取り付け手段（６）とは別の第２取り付け手段（７）が、前記受け口（３）の外側に配置されている電子装置（１）において、前記受け口（３）の中に開口している凹部（９）が、前記装置ベースの側壁（８）に形成されており、前記凹部（９）の中に固定部材（１０）が挿入され、前記固定部材（１０）は、前記回転アーム（４）が解放されている解放姿勢と、前記回転アーム（４）が任意選択的に前記第１セット姿勢または前記第２セット姿勢に固定されている固定姿勢と、の間で、前記回転軸（ｘ）と平行に調節可能であることを特徴とする電子装置（１）に関する。前記電子装置は特に制御キャビネットランプとすることができる。【選択図】図３
2019514155.tif 000002
【特許請求の範囲】
【請求項１】
自身を支持部材（１）に取り付けるための装置ベース（２）を有し、前記装置ベース（２）の受け口（３）の中に少なくとも１つの回転アーム（４）が収容され、前記少なくとも１つの回転アーム（４）が前記装置ベース（２）から部分的に突出し、前記少なくとも１つの回転アーム（４）は、回転軸（ｘ）のまわりに、前記装置ベース（２）の接地側面部（５）に平行となるように、調節可能であり、
前記回転アーム（４）の第１セット姿勢において、第１取り付け手段（６）が受け口（３）の外側に配置され、前記回転アーム（４）の第２セット姿勢において、前記第１取り付け手段（６）とは別の第２取り付け手段（７）が、前記受け口（３）の外側に配置されている電子装置（１）において、
前記受け口（３）の中に開口している凹部（９）が、前記装置ベース（２）の側壁（８）に形成されており、前記凹部（９）の中に固定部材（１０）が挿入され、前記固定部材（１０）は、前記回転アーム（４）が解放されている解放姿勢と、前記回転アーム（４）が任意選択的に前記第１セット姿勢または前記第２セット姿勢に固定されている固定姿勢と、の間で、前記回転軸（ｘ）と平行に調節可能であることを特徴とする電子装置（１）。
【請求項２】
前記電子装置（１）の工具を使用した取り付けのために、前記第１取り付け手段（６）が特にボルト受部として形成され、前記電子装置（１）の工具を使用しない取り付けのために、前記第２取り付け手段（７）が特にフック部として形成されていることを特徴とする請求項１に記載の電子装置（１）。
【請求項３】
前記回転アーム（４）が導電材料、特に金属から製造されており、前記回転アーム（４）は前記電子装置（１）の保護導体（１１）に電気的に接続されていることを特徴とする請求項１に記載の電子装置（１）。
【請求項４】
前記回転アーム（４）が、少なくとも前記第１セット姿勢と前記第２セット姿勢において、前記装置ベース（２）の前記受け口（３）の中に設けられた接点（１２）に電気的に接触し、前記接点が保護導体（１１）に電気的に接続していることを特徴とする請求項３に記載の電子装置（１）。
【請求項５】
前記回転アーム（４）が第１セット姿勢に配置され、前記第１取り付け手段（６）が前記受け口（３）の外側に配置されたときに、前記第２取り付け手段（７）の接触隆起部（１３）が前記接点（１２）に電気的に接触することを特徴とする請求項４に記載の電子装置（１）。
【請求項６】
前記回転アーム（４）が、対向する２つのベアリング延長部材（１４）を備え、前記２つのベアリング延長部材（１４）がそれぞれ前記装置ベース（２）のベアリング受部（１５）の中に嵌合し、回転軸（ｘ）を形成することを特徴とする請求項１〜５の何れか一項記載の電子装置（１）。
【請求項７】
前記第１取り付け手段（６）と前記第２取り付け手段（７）が、前記回転軸（ｘ）に垂直でかつ前記回転軸（ｘ）に対向するようにして、前記回転軸（ｘ）に形成されていることを特徴とする請求項６に記載の電子装置（１）。
【請求項８】
前記第１取り付け手段（６）および前記第２取り付け手段（７）のうち何れか一方を略Ｓ形状のフック部（７）とし、他方を取り付けアイ（６）としたことを特徴とする請求項１〜７の何れか一項記載の電子装置（１）。
【請求項９】
前記固定部材（１０）が前記固定姿勢にあるラッチ姿勢をとり、プレテンションを用いて前記回転アームを固定したセット姿勢に押し当てることを特徴とする請求項１〜８の何れか一項記載の電子装置（１）。
【請求項１０】
前記固定部材（１０）が、前記固定姿勢で前記受け口（３）の内部に設けられた前記回転アーム（４）の前記取り付け手段（６，７）に作用することを特徴とする請求項１〜９の何れか一項記載の電子装置（１）。
【請求項１１】
前記固定部材（１０）が少なくとも、
前記側壁（８）に設けられた凹部（９）と、
前記装置ベース（２）の端面（２６）の中に設けられ、前記回転アーム（４）が前記装置ベース（２）から突出している前記受け口（３）へのアクセス部（２５）と、
を固定姿勢で閉鎖することを特徴とする請求項１〜１０の何れか一項記載の電子装置（１）。
【請求項１２】
前記回転アーム(4)が、前記固定部材(10)を介して少なくとも２つの異なる固定姿勢に固定可能である特徴とする請求項１〜１１の何れか一項記載の電子装置（１）。
【請求項１３】
前記電子装置（１）が制御キャビネットの内部に取り付けるための制御キャビネットランプであって、前記装置ベース(2)が前記制御キャビネットランプのランプベースであることを特徴とする請求項１〜１２の何れか一項記載の電子装置（１）。
【発明の詳細な説明】
【技術分野】
【０００１】
本発明は電子装置に関し、特に電子装置を支持部材に取り付ける装置ベースを用いて制御キャビネットの内部に設置される制御キャビネットランプに関するものであって、少なくとも１つの回転アームが装置ベースの受け口に部分的に収容され、装置ベースから部分的に突出しており、このアームは、装置ベースの接地側面部と平行となるよう、回転軸のまわりに調節可能であり、回転アームの第１セット姿勢では、第１取り付け手段が受け口の外側に配置されており、回転アームの第２セット姿勢では、第１取り付け手段とは異なる第２取り付け手段が、受け口の外側に配置される。制御キャビネットランプとして形成されるこの種の電子装置は欧州特許第１８７３４０３号明細書から公知である。
【背景技術】
【０００２】
制御キャビネット内部の制御キャビネットランプの配置では、例えば、制御キャビネットランプの配置に関する正確な位置および正確な性質は、制御キャビネット内部に配置される各部品のスペース的な要因に依存する場合が多く、特に制御キャビネットランプに決まった取り付け位置は存在せず、各用途に応じて個別に判断する必要がある。本制御キャビネットランプはまた、制御キャビネット内部のあらゆる場所に配置することができる。この取り付け位置は、制御キャビネットの内部を効果的に照明できることを保証できるものである必要があり、また取り付け位置は、制御キャビネットランプの電力供給ケーブルのケーブル経路が確保されるようなものである必要があり、制御キャビネット内部へのアクセスを妨げるものであってはならない。制御キャビネットランプはさらに、制御キャビネット内部の冷却装置により提供される冷却用空気循環を妨げるように配置されてはならず、特に制御キャビネットランプは、制御キャビネットランプを作動させるために、制御キャビネットランプの光センサーまたは動きセンサーが、制御キャビネットのドアに指向しているか、または少なくとも制御キャビネットの内側に向くようにして、配置される必要がある。
【０００３】
電子装置はしたがって異なる取り付け条件に個別的に適合されるように調節される必要があり、例えば、一方で制御キャビネットのフレーム部分への取り付けを可能にし、他方で、制御キャビネットの平坦部分、取り付けプレートの上、または天井取り付け型冷却ユニットのベースプレートの上への取り付けを可能にするような、異なる取り付け手段を備えている必要がある。
【発明の概要】
【０００４】
本発明の目的はしたがって冒頭で述べたタイプの電子装置を提供することであって、異なる取り付け手段を用いて柔軟な取り付けを提供し、またデザインをできるだけシンプルに保つことにより、コストパフォーマンスの高い製造を促進することにある。さらに、本提案の装置は、少なくとも１つの実施形態において、異なる取り付け手段のうちの少なくとも１つの取り付け手段が、装置と、該装置が取り付けられている支持部材との間に、等電位ボンディングが許容されるようにして構成される必要がある。
【０００５】
この目的は請求項１に係る特徴を有する電子装置により達成される。従属請求項はそれぞれ、本発明の有利な実施形態を示している。
【０００６】
したがって、受け口の中に開口している凹部が装置ベースの側壁に形成されており、この凹部の中に固定部材が挿入され、固定材料は、回転アームが解放されている解放姿勢と、回転アームが任意選択的に第１セット姿勢または第２セット姿勢に固定されている固定姿勢と、の間で、回転軸と平行に調節可能である。
【０００７】
回転アームは回転自在に軸支されている金属成形物とすることが可能であって、回転軸両脇の両端部に、回転軸とは垂直に、第１取り付け手段と第２取り付け手段を有している。この種の回転アームはパンチ成形可能である。回転アームは装置ベースの対向する両側壁に支持することが可能で、このために例えば孔状のベアリング受部が、装置ベース側壁の両内側面に形成されており、これが装置ベースの受け口を形成している。
【０００８】
固定部材はプラスチック成形品、特に射出成形品とすることが可能で、装置ベースの側壁にある凹部から固定部材が少なくとも部分的に飛び出る解放姿勢では、回転アームを、回転軸の周りに２つのセット姿勢の間を自由に調節可能となる程度にまで解放する。固定部材は、装置ベースを向いている端部に、少なくとも１つの取り付け手段受け口、特に少なくとも１つのフォームフィット受け口を設けており、取り付け手段用の少なくとも１つの受け口が、２つの取り付け手段の一方の外形に適合しており、また第２の取り付け手段受け口が存在する場合には、必要に応じて、この第２の取り付け手段受け口を他方の取り付け手段の外形に適合させることができる。回転アームの設計によっては、装置ベースから突出していない方の取り付け手段が、結果的に装置ベースの受け口に収容され、回転アームが第１セット姿勢または第２セット姿勢で各（フォームフィット）受け口の中に収容されることで、回転アームが一方または他方のセット姿勢で動かずに固定される。
【０００９】
取り付け手段用の少なくとも１つの受け口に、回転アームを第１セット姿勢および第２セット姿勢にプレテンションするためのかけあがりスロープを備えることができる。取り付け手段の少なくとも１つが接触爪を有するフック部である場合、フック部の支持部材との接触、例えば、制御キャビネットの塗装金属セクションフレームとの接触を、フック部をプレテンションすることにより促し、取り付け手段と支持部材との間に等電位ボンディングを形成することができる。
【００１０】
電子装置の支持部材との工具を利用した取り付けのために、第１取り付け手段を形成し、制御キャビネットランプの支持部材との工具を利用しない取り付けのために、第２取り付け手段を形成することができる。工具を利用した取り付けのために、第１取り付け手段を、例えば、ボルト受部、出口開口部、またはアイ(eye)、として形成することができる。工具を利用しない取り付けのため、第２取り付け手段は、例えばフック部として形成することができる。取り付け手段と、電子装置の支持部材の接合を良好にするため、第１取り付け手段または第２取り付け手段に、接触爪を備えることができる。
【００１１】
回転アームは金属等の導電材料から製造することが可能であって、電子装置の保護導体に電気的に接続することも可能である。回転アームと装置ベースの電気的な接合は、例えば回転アームのベアリング延長部材を介して行われ、これより回転アームが装置ベースのベアリング受部に軸支される。しかし、回転アームを、装置ベースの受け口にある接点に、第１セット姿勢および／または第２セット姿勢で、電気的に、少なくとも或いは独占的に、接触させることが可能であって、この接点は電気導体等を介して保護導体に電気的に接続されている。
【００１２】
例えば、回転アームに一体形成された２つの取り付け手段のうちの一方の接触隆起部を、前記接点に電気的に接触させ、このとき他方の取り付け手段が受け口から突出するセット姿勢に回転アームを配置させることができる。例えば、回転アームが第１セット姿勢に配置され、第１取り付け手段が受け口の外側に配置されたとき、第２取り付け手段の接触隆起部を接点に電気的に接触させることができる。この接点は、例えば可撓性のスプリングシートとして形成することができる。
【００１３】
回転アームは装置ベースの受け口の中に種々の方法で支持することができる。設計が単純なことにより安価な変形例としては、回転アームが、互いに対向する２つのベアリング延長部材を備え、２つのベアリング延長部材の各々が装置ベースのベアリング受部の中に嵌合して回転軸を形成する。この場合、第１取り付け手段と第２取り付け手段を、回転軸に対して垂直となるようにして、回転軸に対抗的に成形することができる。
【００１４】
取り付け手段の一方を略Ｓ形状のフック部として形成し、他方の取り付け手段は取り付けアイ、例えば取り付けフランジに設けられた貫通孔とすることができる。
【００１５】
固定部材は固定姿勢にあるラッチ姿勢をとり、プレテンションを用いて回転アームを固定されたセット姿勢に押し付けることができる。さらに、固定部材は、回転アームの解放を感覚的に認識させるために、解放姿勢にある別のラッチ姿勢をとることができる。
【００１６】
固定部材は、受け口の内部に設けられた回転アームの取り付け手段に、固定姿勢で作用することができる。さらに固定部材は少なくとも、側壁に設けられた凹部および、装置ベースの端面に設けられた受け口へのアクセス部を、固定姿勢で閉鎖することができる。これは、制御キャビネット構成に必要とされるＩＰ保護を考慮しているために、美観に優れているだけでなく、人間が誤って受け口に進入しないような運転安全性をも保障されるものとなっている。
【００１７】
固定部材を用いて回転アームを少なくとも２つの固定姿勢で固定し、これにより取り付け手段の向きを、支持部材の所定の形状に適合させることができる。
【００１８】
本電子装置は特定の実施形態に限定されない。考えられ得る実施形態によっては、電子装置は、制御キャビネットの内部に取り付けられる制御キャビネットランプとなる。この種の制御キャビネットランプの異なる実施形態、および本発明の他の詳細は、以下の図面を参照にして説明される。このうち：
【図面の簡単な説明】
【００１９】
【図１】図１は、回転アームが第１セット姿勢に配置された制御キャビネットランプの実施形態に係る斜視図を示す。
【図２】図２は回転アームが第２セット姿勢に配置されている図１に係る実施形態を示している。
【図３】図３は、固定部材が解放姿勢に配置されている図２に係る実施形態を示している。
【図４】図４は回転アームが第１セット姿勢に配置され、ランプベースとして形成された別の実施形態に係る装置ベースの詳細図を表す。
【図５】図５は回転アームが第２セット姿勢に配置された図４に係る図を表す。
【図６】図６は制御キャビネットランプの別の実施形態に係るランプベースの断面の透視図を表す。
【図７】図７は明確に図示するためランプベースを取り除いた、図６の制御キャビネットランプの別の詳細図を表す。
【図８】図８は回転アームと制御キャビネットランプの保護導体との間の可能な等電位ボンディングを概略的に表している。
【発明を実施するための形態】
【００２０】
図１〜図３は本発明の制御キャビネットランプ１の実施形態を表しており、ランプベース２として形成された端面上の装置ベースが図示され、この中に例えば制御キャビネットランプ１の光源用の制御電子機器の部品の多くを取り込むことができる。制御キャビネットランプ１には、例えば複数のＬＥＤまたはＯＬＥＤが光源として設けられている回路基板を有することが可能であって、複数のＬＥＤまたはＯＬＥＤは、透明カバーの下で照明固定具１８の中に配置されており、回路基板がランプベース２内の制御電子回路に電気的に接続される。ランプベース２はまた、別の電力消費部に電圧源を供給し、例えば、供給時に供給ユニット（ノートパソコン、診断ユニット等）に接続するための、ソケットインサート１７を有する。
【００２１】
制御キャビネットランプ１は、ランプベース２のベース側にある接地側面部５を介して支持部材に設置可能であって、支持部材は、例えば制御キャビネットラック、制御キャビネットの平坦部分、または取り付けプレートなどであるが、制御キャビネットランプ１は、天井設置型の冷却ユニットの底板上で、制御キャビネット内部に向けられており、第１取り付け手段６を用いて取りつけることができる。
【００２２】
図１に図示の図面において、取り付けフランジとして形成された第１取り付け手段６を備えた回転アーム４が、ランプベース２の受け口から突出している。取り付けフランジ６には、取り付けフランジを支持部材にボルトを用いて固定するための、貫通孔が設けられている。図１に図示されない第２取り付け手段７（図２を参照）が、受け口３に収容されている。
【００２３】
固定部材１０は凹部９のなかに完全にスライドされている姿勢、つまり固定姿勢を表す姿勢に配置されていて、回転アーム４が図示の第１セット姿勢に固定されており、必要な場合に第１セット姿勢にプレテンションされる。固定部材１０は、ランプベース２の側壁８に形成された凹部９からランプベース２のなかに挿入されており、側壁８の凹部９と、ランプベース２の端面２６に設けられたアクセス部２５との両方を、少なくとも部分的に閉鎖することがわかるであろう。固定部材１０はこのように、凹部９からランプベース２の受け口３のなかに突出し、受け口３のなかに配置されている第２取り付け手段７（図示せず）に対して、回転アーム４が図示の第１セット姿勢で固定されるようにして相互作用する。このために、固定部材１０はフォームフィットされたレセプタクルなどの受け口を有し、第２取り付け手段７（図示せず）を、固定部材１０の中に、少なくとも部分的に、図示の固定姿勢でフォームフィットされた状態で収容することができる。
【００２４】
図１と同様にして、図２は第２セット姿勢にある回転アーム４を表しており、回転アーム４の第２取り付け手段７が受け口３から突出している。第１取り付け手段６は、固定部材１０の取り付け手段受け口（２９）（図６を参照のこと）に少なくとも部分的に収容されていることが認められ、回転アーム４が図示の第２セット姿勢に固定されている。固定部材１０の取り付け手段受け口（２９）は、図示の第２セット姿勢の向きにプレテンションされた状態で回動アーム４に作用するように形成することが可能であって、これにより例えば、回転アーム４の、制御キャビネットランプ１が取り付けられる支持部材との接触を促し、または制御キャビネットランプ１を支持部材に確実に固定することを保証することができる。
【００２５】
図３に係る図面によれば、固定部材１０が解放姿勢に配置されているため、固定部材が受け口９から側壁８より上に突出しており、少なくとも、セット姿勢同士の間で回転アーム４が自由に回転できるようになっている。
【００２６】
また図３に認められる通り、固定部材１０が解放姿勢に配置され、特にランプベース２の端面２６にあるアクセス部２５が開放されると、固定材料１０により閉鎖されなくなり、図３に図示されている状態から出発して、第１取り付け手段６が端面２６のアクセス部２５からランプベース２を回転して飛び出し、回転アーム４が図１に係る第１セット姿勢に移行されるようになっている。
【００２７】
図４と図５は、２つの固定されたセット姿勢のうち、第１取り付け手段６または第２取り付け手段７の一方のみがそれぞれランプベース２から突出し、またこれよりも奥にある回転アーム４の構成部品の全て、特に他方の取り付け手段６，７が、ランプベース２の中に完全に収容されている様子を、再度、詳細に表している。
【００２８】
図６の詳細図面には特に、回転アーム４と固定部材１０の相互作用および、等電位ボンディングの接点１２が表されている。図６に係る図面では、回転アーム４が第１セット姿勢に配置され、回転アーム４の第１取り付け手段６（図１を参照のこと）がランプベース２の受け口３から突出している。固定部材１０は固定姿勢に配置されている。この場合、固定部材１０は、１つの肩部１９が回転アーム４に抗して押し当てられ、第１セット姿勢にプレテンションされるように構成されている。回転アーム４の動きは、止め具を形成する逆転防止部２８によりさらに制限される。第２取り付け手段７が、図示の固定姿勢にある固定部材１０の取り付け手段受け口の中には収容されていないことが認められよう。
【００２９】
回転アーム４の回転軸は対向する２つのベアリング延長部材１４により形成され、ベアリング延長部材１４は何れもランプベース２の対向する両側面に設けられたベアリング受部１５（一方のベアリング受部１５のみを示した）のなかに収容されている。回転アーム４は、接触隆起部１３が電気接点１２に接しており、電気接点１２は回路基板２１に電気的に接続され、回路基板２１が回転アーム４を介し、制御キャビネットランプ１が取り付けられた支持部材に対して、アースされるように構成されている。
【００３０】
固定部材１０は溝付きの外形２７を有しており、これはランプベース２の端面２６にあるアクセス部２５からアクセス可能であって、平頭ネジドライバーなどを用いて、固定部材１０を図示の固定姿勢から、解放姿勢に動かすために使用される。
【００３１】
回路基板２１の回転アームとの接触が図７に詳細に表されている。回転アーム４が回転軸ｘに対し回転可能となっている。図７に図示のセット姿勢では、回転アーム４の接触隆起部１３がランプベース２の電気接点１２に接している。電気接点１２は導体経路２０から回路基板２１に電気的に接続されている。
【００３２】
接触についてさらに詳細に視覚化するため、図８に制御キャビネットランプが概略的に表されており、第１取り付け手段６と第２取り付け手段７には接触爪２３が設けられ、これを介して取り付け手段６，７の各々が、制御キャビネットランプ１が取り付けられたベースに、電気的に接触する。回転アーム４は接点１２および導体経路２０を介して保護導体１１に電気的に接続している。
【００３３】
図８に図示の制御キャビネットランプ１は、対向する両方の端面２６に、ネットワーク接続用のプラグコネクタ１６とモジュール型プラグコネクタ２４とが設けられており、ここから制御キャビネットランプ１を、少なくとも１つの他の制御キャビネットランプ１または複数の制御キャビネットランプ１に、直列的に接続することができる。特に、プラグコネクタ１６とモジュール型プラグコネクタ２４を同一に形成することができる。モジュール配置によっては、図８に図示のループスルー保護導体が直接接触することにより、標準仕様の十分な等電位ボンディングが提供されるという利点を有しており、これは図１に図示のランプが複数直列接続された場合であっても、特に各々がソケットインサート１７を有する図８に図示の制御キャビネットランプ１が３を超えて互いに直列接続されている場合であっても、標準仕様の十分な等電位ボンディングが提供される。
【００３４】
本明細書、図面および特許請求の範囲に開示された本発明の特徴は、本発明の実現のために個々におよび任意の組み合わせの両方において十分である。
【符号の説明】
【００３５】
１      電子装置／制御キャビネットランプ
２      装置ベース／ランプベース
３      受け口
４      回転アーム
５      接地側面部
６      第１取り付け手段
７      第２取り付け手段
８      側壁
９      凹部
１０    固定部材
１１    保護導体
１２    接点
１３    接触隆起部
１４    ベアリング延長部材
１５    ベアリング受部
１６    プラグコネクタ
１７    ソケットインサート
１８    照明固定具
１９    肩
２０    導体経路
２１    回路基板
２２    光源
２３    接触爪
２４    モジュール型プラグコネクタ
２５    アクセス部
２６    端面
２７    溝外形部
２８    逆転防止部
２９    取り付け手段受け口
ｘ      回転軸
【図１】
2019514155.tif 000003
【図２】
2019514155.tif 000004
【図３】
2019514155.tif 000005
【図４】
2019514155.tif 000006
【図５】
2019514155.tif 000007
【図６】
2019514155.tif 000008
【図７】
2019514155.tif 000009
【図８】
2019514155.tif 000010
【国際調査報告】
2019514155.tif 000011
2019514155.tif 000012
2019514155.tif 000013
2019514155.tif 000014
2019514155.tif 000015
2019514155.tif 000016